(57)【要約】      （修正有）【課題】カードを発行しなくてもポイントサービスが利用できる金銭登録装置、ポイントサーバ及び金銭登録プログラムを提供する。【解決手段】情報を入出力する入出力装置１００と、外部装置と通信を行う通信インターフェース４００と、第１のＩＤを記憶する記憶媒体から第１のＩＤを読み取り（２０４Ａ）、第１のＩＤに基づいて第１のＩＤに固有に割り当てられる第２のＩＤを出力する第１の読取部と、第２のＩＤごとに累計ポイントを格納するポイントサーバ３００から第２のＩＤに対応する累計ポイントを受信し、累計ポイントに基づいて会計処理を行う制御部２０１と、を備える。【選択図】図２
2014089673.tif 000002
【特許請求の範囲】
【請求項１】
情報を入出力する入出力装置と、
外部装置と通信を行う通信インターフェースと、
第１のＩＤを記憶する記憶媒体から前記第１のＩＤを読み取り、前記第１のＩＤに基づいて前記第１のＩＤに固有に割り当てられる第２のＩＤを出力する第１の読取部と、
前記第２のＩＤごとに累計ポイントを格納するポイントサーバから前記第２のＩＤに対応する累計ポイントを受信し、前記累計ポイントに基づいて会計処理を行う制御部と、
を備える金銭登録装置。
【請求項２】
前記記憶媒体から前記第１のＩＤを読み取る第２の読取部をさらに備え、
前記制御部は、
前記入出力装置からポイントを使用して決済することが選択された場合に、前記第２の読取部によって前記第１のＩＤを読み出して前記第２のＩＤに変換し、前記第２のＩＤごとに累計ポイントを格納するポイントサーバから前記第２のＩＤに対応する累計ポイントを受信し、前記累計ポイントに基づいて会計処理を行い、
前記入出力装置から前記第２のＩＤによらずに前記第１のＩＤに基づいて決済することが選択された場合、前記第２の読取部によって前記第１のＩＤを読み出し、前記第１のＩＤに基づいて決済処理を行う請求項１記載の金銭登録装置。
【請求項３】
前記記憶媒体は、
交通運賃を決済することができる記憶媒体である請求項２記載の金銭登録装置。
【請求項４】
外部装置と通信を行う通信インターフェースと、
第１のＩＤを記憶する記憶媒体から前記第１のＩＤを読み取り、前記第１のＩＤに基づいて前記第１のＩＤに固有に割り当てられる第２のＩＤを出力する第１の読取部を備える金銭登録装置から前記第２のＩＤを受信した場合、前記第２のＩＤごとに累計ポイントを格納する顧客データベースから前記第２のＩＤに対応する累計ポイントを読み出し、前記金銭登録装置に送信する制御部と、
を備えるポイントサーバ。
【請求項５】
前記記憶媒体は、
交通運賃を決済することができる記憶媒体である請求項４記載のポイントサーバ。
【請求項６】
第１の読取部によって第１のＩＤを記憶する記憶媒体から前記第１のＩＤを読み取り、前記第１のＩＤに基づいて前記第１のＩＤに固有に割り当てられる第２のＩＤを算出し、
前記第２のＩＤごとに累計ポイントを格納するポイントサーバから前記第２のＩＤに対応する累計ポイントを受信し、
前記累計ポイントに基づいて会計処理を行う金銭登録プログラム。
【発明の詳細な説明】
【技術分野】
【０００１】
本発明の実施形態は、金銭登録装置、ポイントサーバ及び金銭登録プログラムに関する。
【背景技術】
【０００２】
近年ＩＣカードは広く普及し、鉄道などの交通運賃の清算に利用されるだけでなく、店舗での代金決済に利用されるようになってきた。
【０００３】
一方、自社の会員に会員カードなどを配布し、この会員カードに記載されるＩＤごとに、ポイントを付与するサービスも定着している。会員は、累積したポイントを一定の割合により代金決済に使用できる。
【０００４】
この代金決済は、いわゆるＰＯＳ（Ｐｏｉｎｔ  Ｏｆ  Ｓａｌｅｓ）レジスタなどの金銭登録装置によって行われる。金銭登録装置は、販売する商品、単価、及び数量を記憶装置に登録し、合計金額を計算するとともに、ＩＤごとに格納される累計ポイントを格納するポイントサーバに累計ポイントを問い合わせ、ポイントサーバに決済に使用したポイントを累計ポイントから差し引かせる。従って、ポイントを現金のように使用できるのである。
【０００５】
しかし、この会員カードは会社ごと、乃至店舗ごとに発行されるため、消費者にとっては所有するカードの種類が多くなり、管理が煩わしいという側面がある。また、会員カードを発行する会社や店舗にとっては、カードを発行するコストや手間がかかるという問題がある。
【先行技術文献】
【特許文献】
【０００６】
【特許文献１】特開２００６−３９７２９号公報
【発明の概要】
【発明が解決しようとする課題】
【０００７】
従って、カードを発行しなくてもポイントサービスが利用できる金銭登録装置、ポイントサーバ及び金銭登録プログラムが求められている。
【課題を解決するための手段】
【０００８】
上記の課題を解決するために、本発明の一実施形態は、情報を入出力する入出力装置と、外部装置と通信を行う通信インターフェースと、第１のＩＤを記憶する記憶媒体から第１のＩＤを読み取り、第１のＩＤに基づいて第１のＩＤに固有に割り当てられる第２のＩＤを出力する第１の読取部と、第２のＩＤごとに累計ポイントを格納するポイントサーバから第２のＩＤに対応する累計ポイントを受信し、累計ポイントに基づいて会計処理を行う制御部と、を備える金銭登録装置を提供する。
【図面の簡単な説明】
【０００９】
【図１】金銭登録装置の外観斜視図である。
【図２】金銭登録装置とポイントサーバの構成を示すブロック図である。
【図３】価格データベースのデータ構成を示す図である。
【図４】トランザクションファイルのデータ構成を示す図である。
【図５】顧客データベースのデータ構成を示す図である。
【図６】金銭登録装置のポイントによる決済動作を示すフローチャートである。
【図７】金銭登録装置のポイントによる累計ポイント照会動作を示すフローチャートである。
【発明を実施するための形態】
【００１０】
以下、金銭登録装置、ポイントサーバ及び金銭登録プログラムの一実施形態について、図面を用いて詳細に説明する。
【００１１】
本実施形態の金銭登録装置は、情報を入出力する入出力装置と、外部装置と通信を行う通信インターフェースと、第１のＩＤを記憶する記憶媒体から第１のＩＤを読み取り、第１のＩＤに基づいて第１のＩＤに固有に割り当てられる第２のＩＤを出力する第１の読取部と、第２のＩＤごとに累計ポイントを格納するポイントサーバから第２のＩＤに対応する累計ポイントを受信し、累計ポイントに基づいて会計処理を行う制御部と、を備える。
【００１２】
図１は、金銭登録装置１００の外観斜視図である。図１に示すように、金銭登録装置１００は、入出力装置であるタッチパネル２０２と、入力装置であるキーボード２０３と、第１の読取部である第１のカードリーダ２０４Ａと、第２の読取部である第２のカードリーダ２０４Ａと、を備える。
【００１３】
第１のカードリーダ２０４Ａは、記憶媒体であるカードから第１のＩＤを読み取り、この読み取った第１のＩＤに基づいて第１のＩＤに固有に割り当てられる第２のＩＤを生成する。第２のカードリーダ２０４Ｂは、カードから第１のＩＤを読み取る。
【００１４】
この記憶媒体は、例えば、無線タグを格納するＩＣカードであってよく、第１のＩＤを格納できれば、その具体的態様に制限はない。さらに、記憶媒体は電車やバスなどの交通運賃を支払うための交通系ＩＣカードや、無線タグを備える携帯電話などの携帯情報端末であっても、いわゆるクレジットカードであってもよい。
【００１５】
第１のＩＤは、無線タグのメモリに格納されていても、磁気ストライプに記載されていてもよい。
【００１６】
金銭登録装置１００は、この他に商品に貼付されるバーコードを読み取るスキャナ、金銭を格納するドロワ、取引内容を記録媒体に画像形成するプリンタなどの付属装置を接続することができる。
【００１７】
金銭登録装置１００は、スタンドアロンにて使用することも、ストアコントローラと接続して使用することもできる。ストアコントローラは金銭登録装置１００と同様の構成をもち、ストアコントローラに格納された商品に関する情報は変更があった都度接続されている金銭登録装置１００に配信される。
【００１８】
図２は、金銭登録装置１００とポイントサーバ３００の構成を示すブロック図である。図２に示すように、金銭登録装置１００は、制御部であるＣＰＵ（Ｃｅｎｔｒａｌ  Ｐｒｏｃｅｓｓｉｎｇ  Ｕｎｉｔ）２０１と、タッチパネル２０２と、キーボード２０３と、カードリーダ２０４と、外部機器と通信を行うための通信インターフェース（以下、インターフェースをＩ／Ｆという。）２０５と、記憶装置であるＲＯＭ（ｒｅａｄ−ｏｎｌｙ  ｍｅｍｏｒｙ）、ＲＡＭ（ｒａｎｄｏｍ−ａｃｃｅｓｓ  ｍｅｍｏｒｙ）などのメモリ２０６と、ハードディスク、乃至フラッシュＲＯＭなどの不揮発性記憶装置である補助記憶装置２０７と、第１のカードリーダ２０４Ａと、第２のカードリーダ２０４Ｂと、を備える。
【００１９】
ポイントサーバ３００は、ポイントサーバの制御部であるＣＰＵ３０１と、通信Ｉ／Ｆ３０２と、メモリ３０３と、ハードディスク、乃至フラッシュＲＯＭなどの不揮発性記憶装置である補助記憶装置３０４と、を備える。
【００２０】
金銭登録装置１００は、通信Ｉ／Ｆ２０５、通信回線網４００、及び通信Ｉ／Ｆ３０２を介して接続される。
【００２１】
補助記憶装置２０７は、商品ごとの単価を格納する価格データベース（以下、データベースをＤＢという。）２０７Ａと、一取引の内容を格納するトランザクションファイル２０７Ｂと、を格納する。
【００２２】
補助記憶装置３０４は、第２のＩＤと、第２のＩＤごとに累計ポイントと、を格納する顧客ＤＢ３０４Ａを格納する。
【００２３】
本実施形態においては、ポイントサーバ３００は、例えば交通系の代金決済のサーバ等の決済サーバとは別に設けられる。ユーザは決済に先だってポイントによって代金決済をするか否かの意思表示をする。オペレータはポイントによって代金が決済されることが選択された場合、金銭登録装置１００にポイントを使用して決済する旨の指示を入力する。
【００２４】
金銭登録装置１００は、ポイントを使用して決済する旨の指示を入力した場合、第１のカードリーダ２０４Ａによってカードから第１のＩＤを読み取る。
【００２５】
第１のカードリーダ２０４Ａは、読み取った第１のＩＤに基づいて、この第１のＩＤに固有に割り当てられる第２のＩＤを生成して出力する。
【００２６】
例えば、交通系ＩＣカードには第１のＩＤとしてアルファベットを含むＩＤｉと呼ばれるコードが格納されている。第１のカードリーダ２０４Ａは、このＩＤｉを整数からなる第２のＩＤに変換して出力する。
【００２７】
金銭登録装置１００は、この第２のＩＤに基づいて、ポイントサーバ３００に累計ポイントを問い合わせる。
【００２８】
ポイントサーバ３００は、第２のＩＤに基づいて顧客ＤＢ３０４Ａを検索して累計ポイントを読み出し、金銭登録装置１００に送信する。
【００２９】
金銭登録装置１００は、このポイントに基づいて代金の決済を行い、ポイントサーバ３００に代金分のポイントを累計ポイントから引き去るように指示する。
【００３０】
なお、第２のカードリーダは、第１のＩＤによって決済することが選択された場合に使用される。例えば、代金を交通系ＩＣカードのチャージ済みの金額から決済する場合に用いられる。
【００３１】
金銭登録プログラムは、補助記憶装置２０７に格納され、制御部２０１は、金銭登録プログラムを補助記憶装置２０７から読み出してメモリ２０６に格納し、メモリ２０６から順次命令を読み出して実行する。
【００３２】
図３は、価格ＤＢ２０７Ａのデータ構成を示す図である。図３に示すように、価格ＤＢ２０７Ａは、商品毎に固有に割り当てられる「商品コード」と、商品の名称である「名称」と、商品の定番価格である「単価」と、販売部門を示す「部門」と、を格納する。
【００３３】
各データの例は、商品コードが「４００００００００１２３４」、名称が「缶コーヒー２５０ｍｌ」、単価が「１００」、部門が「５０１０」である。
【００３４】
図４は、トランザクションファイル２０７Ｂのデータ構成を示す図である。図４に示すように、トランザクションファイル２０７Ｂは、一取引ごとに、「商品コード」と、「名称」と、「単価」と、販売する数量を示す「数量」と、を格納する。
【００３５】
各データの例は、商品コードが「４００００００００１２３４」、名称が「缶コーヒー２５０ｍｌ」、単価が「１００」、数量が「６」である。
【００３６】
図５は、顧客ＤＢ３０４Ａのデータ構成を示す図である。図５に示すように、顧客ＤＢ３０４Ａは、カードに記載される第１のＩＤに基づいて、第１のＩＤに固有に割り当てられる第２のＩＤと、第２のＩＤごとの累計ポイントと、を格納する。なお、格納するデータは、これに限られるものではない。
【００３７】
図６は、金銭登録装置１００のポイントによる決済動作を示すフローチャートである。図６に示すように、ステップ６０１において、金銭登録装置１００はポイントによる支払いの指示が入力されたかを判定する。金銭登録装置１００はポイントによる支払いの指示が入力されたと判定した場合、動作６０２に進み、ポイントによる支払いの指示が入力されていないと判定した場合、動作６０１に戻る。
【００３８】
動作６０２において、金銭登録装置１００は、第１のカードリーダ２０４Ａによってカードから第１のＩＤを読み取る。
【００３９】
動作６０３において、金銭登録装置１００は、第１のカードリーダ２０４Ａによって第１のＩＤを第１のＩＤに基づいて固有に割り当てられる第２のＩＤに変換する。
【００４０】
動作６０４において、金銭登録装置１００は、ポイントサーバ３００に第２のＩＤとともに、累計ポイントの問合せを送信する。
【００４１】
動作６０５において、ポイントサーバ３００は、第２のＩＤと累計ポイント問合せ要求を受信する。
【００４２】
動作６０６において、ポイントサーバ３００は、受信した第２のＩＤに基づいて顧客ＤＢ３０４Ａを検索し、当該第２のＩＤの累計ポイントを読み込む。
【００４３】
動作６０７において、ポイントサーバ３００は、第２のＩＤと累計ポイントを回答として金銭登録装置１００に送信する。
【００４４】
動作６０８において、金銭登録装置３００は、ポイントサーバ３００から回答を受信する。
【００４５】
動作６０９において、金銭登録装置１００は、代金の小計が累計ポイント以下であるかを判定する。金銭登録装置１００は、代金の小計が累計ポイント以下であると判定した場合、動作６１１に進み、代金の小計が累計ポイント以下であると判定しなかった場合、動作６１０に進む。
【００４６】
動作６１０において、金銭登録装置１００は、ポイントを全部使用する旨の入力があったか判定する。金銭登録装置１００は、ポイントを全部使用する旨の入力があったと判定した場合、動作６１１に進み、ポイントを全部使用する旨の入力がないと判定した場合、動作６０１にもどる。
【００４７】
動作６１１において、金銭登録装置１００は、累計ポイントから引き去るべきポイントを算出し、この引き去りポイントとポイント引き去り処理要求とをポイントサーバ３００に送信する。
【００４８】
動作６１２において、ポイントサーバ３００は、引き去りポイントとポイント引き去り処理要求とを受信する。
【００４９】
動作６１３において、ポイントサーバ３００は、引き去りポイントを累計ポイントから引き去り、この引き去り後の累計ポイントを新たな累計ポイントとして顧客ＤＢ３０４Ａに格納する。
【００５０】
動作６１４において、ポイントサーバは、第２のＩＤと引き去り後の累計ポイントとを引き去り回答として金銭登録装置１００に送信する。
【００５１】
動作６１５において、金銭登録装置１００は引き去り回答を受信する。
【００５２】
動作６１６において、金銭登録装置１００は会計の締め処理を行う。
【００５３】
図７は、金銭登録装置１００のポイントによる累計ポイント照会動作を示すフローチャートである。図７に示すように、ステップ７０１において、金銭登録装置１００は累計ポイントの照会の指示が入力されたかを判定する。金銭登録装置１００は累計ポイントの照会の指示が入力されたと判定した場合、動作７０２に進み、累計ポイントの照会の指示が入力されていないと判定した場合、動作７０１に戻る。
【００５４】
動作７０２において、金銭登録装置１００は、第１のカードリーダ２０４Ａによってカードから第１のＩＤを読み取る。
【００５５】
動作７０３において、金銭登録装置１００は、第１のカードリーダ２０４Ａによって第１のＩＤを第１のＩＤに基づいて固有に割り当てられる第２のＩＤに変換する。
【００５６】
動作７０４において、金銭登録装置１００は、ポイントサーバ３００に第２のＩＤとともに、累計ポイントの問合せを送信する。
【００５７】
動作７０５において、ポイントサーバ３００は、第２のＩＤと累計ポイント問合せ要求を受信する。
【００５８】
動作７０６において、ポイントサーバ３００は、受信した第２のＩＤに基づいて顧客ＤＢ３０４Ａを検索し、当該第２のＩＤの累計ポイントを読み込む。
【００５９】
動作７０７において、ポイントサーバ３００は、第２のＩＤと累計ポイントを回答として金銭登録装置１００に送信する。
【００６０】
動作７０８において、金銭登録装置３００は、ポイントサーバ３００から回答を受信する。
【００６１】
動作７０９において、金銭登録装置１００は、表示装置であるタッチパネル２０２に累計ポイントを表示する。
【００６２】
動作７１０において、金銭登録装置１００は、累計ポイントをプリンタによって印刷する。
【００６３】
以上述べたように、本実施形態の金銭登録装置１００は、情報を入出力する入出力装置と、外部装置と通信を行う通信インターフェース２０５と、第１のＩＤを記憶する記憶媒体からこの第１のＩＤを読み取り、第１のＩＤに基づいて第１のＩＤに固有に割り当てられる第２のＩＤを出力する第１の読取部と、第２のＩＤごとに累計ポイントを格納するポイントサーバ３００から第２のＩＤに対応する累計ポイントを受信し、この累計ポイントに基づいて会計処理を行う制御部と、を備える。
【００６４】
従って、カードを新たに発行しなくてもポイントサービスが利用できるという効果がある。
【００６５】
いくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００６６】
１００：金銭登録装置
２０４Ａ：第１のカードリーダ
３００：ポイントサーバ
４００：通信回線網
【図１】
2014089673.tif 000003
【図２】
2014089673.tif 000004
【図３】
2014089673.tif 000005
【図４】
2014089673.tif 000006
【図５】
2014089673.tif 000007
【図６】
2014089673.tif 000008
【図７】
2014089673.tif 000009